(57)【要約】【課題】壁，床，天井，屋根，間仕切りのうちの少なくとも一つを２以上のパネルを連接して構成した場合において，パネルを１つ単位で交換することができるとともにパネルのリユース性を向上させる建築構造を提供する。【解決手段】壁，床，天井，屋根，間仕切りのうちの少なくとも一つを，２以上のパネル１０を連接して構成する。連接するパネル１０同士をそれぞれ個別に締結する締結解除可能な締結手段３０と，パネル１０同士の対向面の端部に沿ってパネル１０に設けられた，棒状充填部材２０の受け入れ溝１２と，受け入れ溝１２に充填された，下地材として利用できる棒状充填部材２０とを備えている。【選択図】図１
2010216111.tif 000002
【特許請求の範囲】
【請求項１】
構造体である壁，床，天井，屋根，間仕切りのうちの少なくとも一つを，２以上のパネルを連接し，そのパネルの連接体で前記構造体を構成した建築構造であって，
連接するパネル同士をそれぞれ個別に締結する締結解除可能な締結手段と，
前記パネル同士の対向面の端部に沿ってパネルに設けられた，棒状充填部材の受け入れ溝と，
この受け入れ溝に充填された，下地材として利用できる棒状充填部材と，
を備えたことを特徴とする建築構造。
【請求項２】
コンクリートで構成した基礎と，この基礎の上に構築された，前記パネルを連接してなる壁と，前記基礎と，前記パネルとに設けられた空洞部と，前記基礎の上部と前記パネルの下部を貫通して，下端が前記基礎の空洞部に露出し，上端が前記パネルの空洞部に露出するボルトと，をさらに備えたことを特徴とする請求項１記載の建築構造。
【請求項３】
前記パネルを連接して構成した壁と，前記パネルを連接して構成した床と，この床の厚み内において，かつ，前記壁における棒状充填部材の受け入れ溝の幅内において，前記壁と床とを連結する，連結解除可能な壁−床連結部材と，をさらに備えたことを特徴とする請求項１または２記載の建築構造。
【請求項４】
前記パネルを連接して構成した壁と，この壁の厚み内において，かつ，壁における棒状充填部材の受け入れ溝の幅内において，壁とこの壁の上に配置された桁材とを連結する，連結解除可能な壁−桁連結部材と，前記桁材とこの桁材の上に配置された屋根部材とを連結する桁−屋根連結部材と，をさらに備えたことを特徴とする請求項１または２または３記載の建築構造。
【発明の詳細な説明】
【技術分野】
【０００１】
本発明は，建築構造に関する。特に，構造体である壁，床，天井，屋根，間仕切りのうちの少なくとも一つを，２以上のパネルを連接して構成した建築構造に関するものである。
【背景技術】
【０００２】
従来，特許文献１に見られるように，構造柱（７）と横架材（８）とで画成された壁形成空間（９）内に断面積の大なる耐力壁構造を容易に形成し，強度向上と気密性と外観の向上を図ることを目的として，複数本の木製角柱材（１）を並列状に添接し，該添接面に形成された接合溝（３）内に雇実（５）を圧入して全木製角柱材（１）の剛体ブロック化を図ると共に，上記木製角柱材（１）の前後二側面に形成された埋め木受容溝（２）に埋め木（４）を埋込んで密閉を図り，形成された耐力壁ブロック（６）を構造柱（７）と横架材（８）によって画成された壁形成空間（９）内に建て込み，締結金物（１０）にて耐力壁ブロック（６）を上記構造柱（７）及び横架材（８）に締結した耐力壁構造が知られている。
また，本件出願人の出願に係る特許文献２に見られるように，構造体である壁を，２以上のパネル（２０）を連接し，そのパネルの連接体で壁を構成した建築構造が知られている。
【先行技術文献】
【特許文献】
【０００３】
【特許文献１】特開平０９−１８４１９７号公報
【特許文献２】ＷＯ２００５／０１９５５１号公報
【発明の概要】
【発明が解決しようとする課題】
【０００４】
上述した特許文献１記載の壁構造によれば，何らかの理由（例えば破損や汚れ）で複数本の木製角柱材（１）のうちの一本を交換しようとした場合，締結金物（１０）による締結を解除し，耐力壁ブロック（６）から構造柱（７）及び横架材（８）を取り外し，雇実（５）を取り外せば，木製角柱材（１）を交換することが可能であるとも考えられる。
しかしながら，このような壁構造を実際の建築物の壁として用いた場合，横架材（８）は土台や胴差，桁，梁等として使用され（特許文献１の００２３段落），また，構造柱（７）には，これに隣接して壁等が構築されるであろうから，耐力壁ブロック（６）から構造柱（７）及び横架材（８）を取り外すことは，建築物を解体しない限り不可能であるか，あるいは極めて困難である。
したがって，実質上，上述した従来の壁構造では，複数本の木製角柱材（１）のうちの特定の木製角柱材（１）を交換することは，不可能であった。
【０００５】
上述した特許文献２記載の構造は，パネル（２０）を土台（１０）等に対して個別に固定しているので，パネルを１つ単位で交換することは可能である。
しかし，この構造のパネルは，下地材として利用できる棒状充填部材の受け入れ溝を有していない。したがって，パネル（２０）上に仕上げ材を施そうとすれば，パネル（２０）自体を下地材として用いなければならない。その場合，パネル（２０）が損傷を受けるため，パネルの再利用性（リユース性）が低下するという難点がある。
【０００６】
本発明の目的は，上記課題を解決し，構造体である壁，床，天井，屋根，間仕切りのうちの少なくとも一つを，２以上のパネルを連接して構成した場合において，パネルを１つ単位で交換することができるとともに，パネルの再利用に適した建築構造を提供することにある。
【課題を解決するための手段】
【０００７】
上記目的を達成するために本発明の建築構造は，構造体である壁，床，天井，屋根，間仕切りのうちの少なくとも一つを，２以上のパネルを連接し，そのパネルの連接体で前記構造体を構成した建築構造であって，
連接するパネル同士をそれぞれ個別に締結する締結解除可能な締結手段と，
前記パネル同士の対向面の端部に沿ってパネルに設けられた，棒状充填部材の受け入れ溝と，
この受け入れ溝に充填された，下地材として利用できる棒状充填部材と，
を備えたことを特徴とする。
この建築構造によれば，連接するパネル同士がそれぞれ個別に締結手段で締結されており，その締結手段は締結解除可能であるから，建築物を解体しなくても，前記締結手段の締結を解除するとともに棒状充填部材を取り外すことによって，壁等を構成している複数のパネルを１つ単位で交換することができる。また，パネル上に仕上げ材を施す場合，棒状充填部材を下地材として利用できるので，パネルに損傷を与えないで済む。したがって，パネルの再利用性（リユース性）が向上する。
望ましくは，コンクリートで構成した基礎と，この基礎の上に構築された，前記パネルを連接してなる壁と，前記基礎と，前記パネルとに設けられた空洞部と，前記基礎の上部と前記パネルの下部を貫通して，下端が前記基礎の空洞部に露出し，上端が前記パネルの空洞部に露出するボルトと，をさらに備えた構成とする。
このように構成すると，基礎の空洞とパネルの空洞とに両端が露出したボルトにナットを結合して締め付けることで，コンクリートの基礎上に，パネルを連接してなる壁を強固に構築することができるとともに，上記ナットを外すことで，容易に基礎とパネルとの結合を解除することができる。
したがって，壁を構成する複数のパネルを１つ単位で容易に交換することができる。
また望ましくは，前記パネルを連接して構成した壁と，前記パネルを連接して構成した床と，この床の厚み内において，かつ，前記壁における棒状充填部材の受け入れ溝の幅内において，前記壁と床とを連結する，連結解除可能な壁−床連結部材と，をさらに備えた構成とする。
このように構成すると，壁と床とを壁−床連結部材で強固に連結することができるとともに，壁−床連結部材による連結を解除することで，壁を構成するパネルや床を構成するパネルを１つ単位で容易に交換することができる。
しかも，壁−床連結部材は，床の厚み内において，かつ，壁における棒状充填部材の受け入れ溝の幅内において，壁と床とを連結するから，壁−床連結部材が床や壁から露出して建築物の外観が損なわれるというおそれもない。
また望ましくは，前記パネルを連接して構成した壁と，この壁の厚み内において，かつ，壁における棒状充填部材の受け入れ溝の幅内において，壁とこの壁の上に配置された桁材とを連結する，連結解除可能な壁−桁連結部材と，前記桁材とこの桁材の上に配置された屋根部材とを連結する桁−屋根連結部材と，をさらに備えた構成とする。
このように構成すると，桁−屋根連結部材による桁材と屋根部材との連結を解除することなく，壁−桁連結部材による壁と桁材との連結を解除することができるから，屋根あるいは桁を解体することなく，壁−桁連結部材による壁と桁材との連結を解除することで，壁を構成するパネルを１つ単位で容易に交換することができる。
しかも，壁−桁連結部材は，壁の厚み内において，かつ，壁における棒状充填部材の受け入れ溝の幅内において，壁と桁とを連結するから，壁−桁連結部材が壁から露出して建築物の外観が損なわれるというおそれもない。
【図面の簡単な説明】
【０００８】
【図１】本発明に係る建築構造の一実施の形態における，パネル同士の基本的な連結構造を示す図であり，（ａ）は断面図（図（ｂ）におけるａ−ａ断面図），（ｂ）は部分省略斜視図。
【図２】壁構造を示す図で（ａ）は水平断面図，（ｂ）（ｃ）はそれぞれ図（ａ）におけるｂ−ｂ断面図。
【図３】壁構造を示す図で（ａ）は水平断面図，（ｂ）（ｃ）はそれぞれ図（ａ）におけるｂ−ｂ断面図。
【図４】本発明に係る建築構造の一実施の形態における，基礎と壁との連結構造を示す垂直断面図。
【図５】（ａ）は図４におけるＶ−Ｖ断面図，（ｂ）は図（ａ）におけるｂ−ｂ断面図。
【図６】本発明に係る建築構造の一実施の形態における，壁と床との連結構造を示す水平断面図。
【図７】（ａ）は図６におけるＶＩＩａ−ＶＩＩａ断面図，（ｂ）は図６におけるＶＩＩｂ−ＶＩＩｂ断面図。
【図８】壁−床連結部材を示す図。
【図９】本発明に係る建築構造の一実施の形態における，壁と床との連結構造の他の例を示す図で，（ａ）は水平断面図，（ｂ）は図（ａ）におけるｂ−ｂ断面図，（ｃ）は壁−床連結部材の他の例を示す斜視図，（ｄ）は図（ａ）におけるｄ−ｄ断面図。
【図１０】本発明に係る建築構造の一実施の形態における，壁と屋根部材との連結構造を示す部分省略平面図。
【図１１】図１０におけるＸＩ−ＸＩ断面図。
【図１２】（ａ）は図１１におけるＸＩＩａ−ＸＩＩａ断面図，（ｂ）は図１１におけるＸＩＩｂ−ＸＩＩｂ断面図，（ｃ）は図１１におけるＸＩＩｃ−ＸＩＩｃ断面図。
【図１３】壁−桁連結部材を示す図で，（ａ）は平面図，（ｂ）は正面図，（ｃ）は側面図。
【図１４】（ａ）〜（ｊ）は受け入れ溝１２および棒状充填部材２０の利用形態の例を示す図。
【図１５】（ａ）〜（ｅ）は受け入れ溝１２および棒状充填部材２０の利用形態の例を示す図。
【図１６】（ａ）（ｂ）は受け入れ溝１２および棒状充填部材２０の利用形態の例を示す図。
【図１７】（ａ）〜（ｄ）はパネルの形態の例を示す図。
【発明を実施するための形態】
【０００９】
以下，本発明に係る建築構造の実施の形態について説明する。
＜実施の形態の概要＞
この実施の形態は，数度の再使用に耐えられるべく，表裏一体につくられた部材であるパネルの連続体で，建築部位である壁，床，屋根のそれぞれを構成し，その後，必要に応じて，連続したパネルのうちの任意のパネルを，損傷させることなく部分交換できるようにするとともに，パネルのリユース性を向上させた建築構造である。パネルは木材，木材の集成材，合板，金属板，コンクリート板，合成樹脂板等，適宜の材料で構成することができる。
【００１０】
建築物は一般に基礎も床も屋根も壁と固定されて存在する。また各部位を構成する部材は必ずその部材と部材あるいは専用の構造体（例えば鉄骨）もしくは構造体を兼ねた壁に連結される。その連結構造は，上記部材としてパネルを用い，そのパネルの再使用を想定した場合，ビスなどでのパネル同士の連結（固定）は再使用したいパネルに大きな損傷を与え，２度３度あるいは数度の使用を不可能にしてしまうので，ボルトなど脱着可能なもので連結する必要がある。
【００１１】
しかし，脱着可能な連結構造を採用するということは，建物内への水の浸入や建物内外の遮音，防音，耐火，気密上の課題を生じる。また，表裏一体のパネルおよび脱着可能な連結構造を用いた場合，仮に何らの方策も講じないとしたならば，連結部分や電気配線などは建物の内か外に露にならざるをえない。連結部分を露にすることは意匠の面でも耐久性の面でも好ましくない。したがって，連結部分や電気配線などを露出させない処理が必要になる。
【００１２】
この実施の形態は，再使用部材としてのパネルの好適な連結構造とその連結部分の好適な隠蔽処理構造を提供する。その隠蔽処理構造は，各部位の構成部材を再使用すべきパネルと，パネル同士の隙間に埋める棒状充填部材（例えば埋め木）とに分け，その棒状充填部材を，建築物を構築する都度の消耗材として考え，その棒状充填部材を多面的に活用することで上記の課題を解決する構造である。
【００１３】
パネルを連結（または固定）する際，連結操作可能な最小範囲の隙間を設け，その隙間内あるいは床下など建築物の内外に露にならない箇所で連結し，そのボルトやプレート等および電線等を棒状充填部材で隠蔽する。その棒状充填部材はパネルと同材（例えば集成材）とすることで壁等の表層を均一な状態にすることもできる。またその棒状充填部材(例えば埋め木)は，パネルの上に何らかの処置（仕上げなど）を施す際，モデュール（基準寸法）を考慮することでビスなどを打てる損傷可能な下地材としての役割を担うこともでき，さらに水の浸入，音の通過，火の透過などを防ぐ手立てを棒状充填部材の奥に施すことで，多様な機能を持たせることもできる。つまり，棒状充填部材を損傷可能な消耗材として適切に配置し利用することで再使用部材であるパネルを損傷せず交換可能にすることができる。
部材と部材との連結構造は，基本的には，以下に説明するように，壁部材と壁部材，壁と基礎，壁と二階床（一階床も同様にできる），壁と屋根部材の連結構造がある。
【００１４】
以下，図面を参照して説明する。
図１は本発明に係る建築構造の一実施の形態における，パネル同士の基本的な連結構造を示す図であり，（ａ）は断面図（図（ｂ）におけるａ−ａ断面図），（ｂ）は部分省略斜視図である。
図１において，１０はパネルであり，例えば集成材で構成される。このパネル１０の寸法は，例えば，幅４５０ｍｍ，厚さ１２０ｍｍ，長さ２０００〜６０００ｍｍ程度とする。
パネル１０の角部（１１）は長手方向に全長に亘って切り欠かれており，パネル１０が連接されて隣接する切り欠き１１同士が対向することにより，棒状充填部材２０の受け入れ溝１２が構成される。図示の棒状充填部材２０および受け入れ溝１２は角柱状であるが，棒状充填部材２０を矢印ｂ方向へ装着できる形状であれば任意の形状を採用できる。
【００１５】
棒状充填部材２０は，その材料は任意であるが，パネル１０と同材（例えばパネル１０を集成材で構成した場合には同様の集成材）で構成するのが望ましい。棒状充填部材２０を受け入れ溝１２に装着した際の壁面の均一性を向上させるためである。図示のものはパネル１０の内外両面に受け入れ溝１２を形成したが，片面にのみ形成しても良い。
【００１６】
パネル１０同士の連結手段は，締結解除可能な締結手段であれば任意であるが，この実施の形態では，ボルトナット３０を用いている。
パネル１０の一側面に，ボルトナット３０を矢印ｂ方向へ装着するためのスリット１３と，このスリット１３に連なる矩形の空洞１４とを設け，スリット１３および空洞１４に対し，ボルトナット３０を矢印ｂ方向へ入れてボルトをパネル１０の厚み方向中央部に位置させた後，空洞１４を利用しナット３１を締めて，隣接するパネル１０同士を結合する。その後，スリット１３および空洞１４は，それぞれの形状に適合した埋木１３ａ，１４ａで埋める。これらの埋木もパネル１０と同材（例えばパネル１０を構成する材料と同様の材料）で構成するのが望ましい。なお，３２は座金である。
【００１７】
このような連結は，パネル１０の長手方向（図１（ａ）の紙面と直交する方向）において，複数箇所で行うことができる。なお，図において，パネル１０同士の間には隙間Ｃが空いているが，この隙間Ｃには図示しないスペーサ（例えば薄板）が介装される。すなわち，図示しないスペーサを間に挟んでパネル１０同士が連結される。パネル１０には製造誤差があるため，スペーサを設けないとすると，複数のパネル１０を連接する際，パネル１０が幅方向において所望の位置からずれたり，連接された全体の寸法（連接方向の寸法）が設計値からずれたりするおそれがある。そのような不具合を解消するために，建築現場でパネル１０を連接する過程で，適切な厚さのスペーサを介装しながらパネル１０を連接する。
【００１８】
パネル１０を複数連接することで，建築部位である壁，床，天井，屋根，間仕切り等を構成することが可能である。図示のものはパネル１０として板状のものを用いたが，角柱状のものを同様にして用いることもできる。
すなわち，この実施の形態の建築構造は，構造体である壁，床，天井，屋根，間仕切りのうちの少なくとも一つを，２以上のパネル１０を連接して構成した建築構造であって，連接するパネル１０同士をそれぞれ個別に締結する締結解除可能な締結手段３０と，パネル１０同士の対向面の端部（すなわちパネル１０の角部）に沿ってパネル１０に設けられた，棒状充填部材２０の受け入れ溝１２と，この受け入れ溝１２に充填された下地材として利用できる棒状充填部材２０とを備えている。
【００１９】
この建築構造によれば，連接するパネル１０同士がそれぞれ個別に締結手段３０で締結されており，その締結手段３０は締結解除可能であるから，建築物を解体しなくても，締結手段３０の締結を解除するとともに棒状充填部材２０を取り外すことによって，壁等を構成している複数のパネル１０を１つ単位で交換することができる。また，パネル１０上に仕上げ材を施す場合，棒状充填部材２０を下地材として利用できるので，パネル２０に損傷を与えないで済む。したがって，パネル２０の再利用性（リユース性）が向上する。
【００２０】
例えば図２または図３に示すように，パネル１０を連接して壁１０Ｗを構築する場合，壁１０Ｗの外面に，棒状充填部材２０を利用してサイディング等の外壁仕上げ材４０を付加することができる。
例えば図２（ａ）（ｂ）に示すように，棒状充填部材２０に対し，横胴縁４１を釘やビス４２で打ち付け，その横胴縁４１に外壁仕上げ材４０を取り付けることができる。この場合，図２（ｃ）に示すように，横胴縁４１の厚みによってできた空間に断熱材４３を入れることもできる。
【００２１】
また，例えば図３（ａ）（ｂ）に示すように，棒状充填部材２０に対し，縦胴縁４４を釘やビス４２で打ち付け，その縦胴縁４４に外壁仕上げ材４０を取り付けることができる。この場合，図３（ｃ）に示すように，縦胴縁４４の厚みによってできた空間４４ｃ（図３（ａ）参照）に断熱材４３を入れることもできる。
なお，横胴縁４１や縦胴縁４４を用いずに，棒状充填部材２０に対して外壁仕上げ材４０を取り付けることも可能である。
以上のようにして外壁仕上げ材４０を取り付けると，木質充填部材２０を下地材として利用できるので，パネル１０に傷を付けることなく外壁仕上げ材４０を取り付けることができる。したがって，パネル１０を綺麗な状態で再利用できる。棒状充填部材２０は消耗品として利用する。
【００２２】
図４は本発明に係る建築構造の一実施の形態における，基礎と，パネルを連接してなる壁との連結構造を示す垂直断面図（図５（ａ）におけるＩＶ−ＩＶ断面図），図５（ａ）は図４におけるＶ−Ｖ断面図，図５（ｂ）は図５（ａ）におけるｂ−ｂ断面図である。
図示の連結構造は，コンクリートで構成した基礎５０と，この基礎５０の上に構築された，パネル１０を連接してなる壁１０Ｗと，基礎５０に設けられた空洞部５１と，パネル１０に設けられた空洞部１５と，基礎５０の上部とパネル１０の下部を貫通して，下端６１が基礎５０の空洞部５１に露出し，上端６２がパネル１０の空洞部１５に露出するボルト６０とを備えている。
【００２３】
このように構成すると，基礎５０の空洞５１とパネル１０の空洞１５とに両端が露出したボルト６０にナット６３を結合して締め付けることで，コンクリートの基礎５０上に，パネル１０を連接してなる壁１０Ｗを強固に構築することができるとともに，ナット６３を外すことで，容易に基礎５０とパネル１０との結合を解除することができる。
したがって，壁１０Ｗを構成する複数のパネル１０を１つ単位で容易に交換することができる。
なお，図において，６４はナット６３を操作するのに用いるトルクレンチを示している。６５，６６は座金である。
【００２４】
この実施の形態では，基礎５０の上部にボルト６０を挿通しやすいように，パイプ５２を基礎構築時に同時に埋め込んでおく。また，ボルト６０を落とし込むことができるように，空洞部５１の下方にもパイプ５３を埋め込んだ落とし込み穴５４を設けておく。
落とし込み穴５４の下端から基礎５０の上面までの長さＬ２は，ボルト６０の長さよりも長くしてある。
したがって，ボルト６０の両端からナット６３を外して，ボルト６０を落とし込み穴５４に落とし込むと，ボルト６０は基礎５０内に埋没する。したがって，パネル１０を外方（図４において左方）に容易に外すことができる。またこのように構成すると，ボルト６０をパネル１０内に入れるためのスリットをパネル１０の側面に設ける必要がなくなるので意匠面で有利である。また，基礎５０に空洞部５１を設けておくことで，床下スペースを利用してナット６３を外すことができる。
【００２５】
図４において，５５は，基礎５０上にパネル１０を図５の紙面と直交する方向へ連接して壁１０Ｗを構築してゆく際の位置合わせ部である。この位置合わせ部５５は，図４の紙面と直交する方向へ伸びるガイドプレート５５ｐと，このガイドプレート５５ｐに沿わせて設けた木製のスペーサ５５ｓを有している。ガイドプレート５５ｐはボルト５５ｂで基礎５０の側面に固定されている。ガイドプレート５５ｐおよびスペーサ５５ｓには，位置決めピン５５ｎを貫通させて固定してある。
【００２６】
このように構成すると，パネル１０を基礎５０上に載置する際，パネル１０の厚み方向（図４において左右方向）についてはパネル１０の下部の一側面をスペーサ５５ｓに当接させ，パネル１０の幅方向（図４の紙面と直交する方向）についてはパネル１０の切り欠き側面１１ｓ（図５（ａ），図１（ｂ）参照）を位置決めピン５５ｎに当接させることで，容易に位置決めすることができる。なお，位置合わせ部５５は壁１０Ｗを構築した後，除去することができる。また，位置合わせ部５５は基礎５０上面に一体的にコンクリートで形成しておくこともできる。
【００２７】
図６は本発明に係る建築構造の一実施の形態における，パネルを連接して構成した壁と，パネルを連接して構成した床との連結構造を示す水平断面図，図７（ａ）は図６におけるＶＩＩａ−ＶＩＩａ断面図，図７（ｂ）は図６におけるＶＩＩｂ−ＶＩＩｂ断面図，図８は壁−床連結部材を示す図である。
図示の連結構造は，パネル１０を連接して構成した壁１０Ｗと，パネル１０を連接して構成した床１０Ｆと，連結解除可能な壁−床連結部材７０とを備えている。壁−床連結部材７０は，床１０Ｆの厚みＴ（図７（ｂ））内において，かつ，壁１０Ｗにおける棒状充填部材２０の受け入れ溝１２の幅１２ｗ（図６）内において，壁１０Ｗと床１０Ｆとを連結する。
【００２８】
このように構成すると，壁１０Ｗと床１０Ｆとを壁−床連結部材７０で強固に連結することができるとともに，壁−床連結部材７０による連結を解除することで，壁１０Ｗを構成するパネル１０や床１０Ｆを構成するパネル１０を１つ単位で容易に交換することができる。
しかも，壁−床連結部材７０は，床１０Ｆの厚Ｔみ内において，かつ，壁１０Ｗにおける棒状充填部材２０の受け入れ溝１２の幅１２ｗ内において，壁１０Ｗと床１０Ｆとを連結するから，壁−床連結部材７０が床１０Ｆや壁１０Ｗから露出して建築物の外観が損なわれるというおそれもない。
【００２９】
壁−床連結部材７０は，図８に示すように，金属製プレートの両端に端部が開口した穴７１，７１を設け，その穴７１の開口外側部分にテーパ７２を設けたものである。
図６，図７に示すように，床１０Ｆを構成するパネル１０同士は，図１に示した壁１０Ｗを構成するパネル１０同士の結合同様，ボルトナット３０を用いて結合されている。図６において，１３はボルトナット３０をパネル１０内に配置するためのスリット，１４はナットを操作するための空洞である。壁１０Ｗを構築する場合と同様用，スリット１３および空洞１４は，それぞれの形状に適合した埋木で埋めるのが望ましいが，床１０Ｆの場合，これらスリット１３，空洞１４はフローリング等の床材Ｆ（図９参照）で塞ぐこともできので，必ずしも埋木をする必要はない。なお，図７（ａ）において，Ｓ１は配線スペースであり，パネル１０の一辺を幅方向へ切り欠くことで形成されている。
【００３０】
図６に示すように，この実施の形態では，床１０Ｆを構築するパネル１０に設けた２つの空洞１４のうちの一方の空洞１４’を，壁１０Ｗ側へ向けて拡張し，その空洞１４’とパネル１０の一側面１６との間にボルト７３を貫通させる。また，壁１０Ｗを構築するパネル１０にも空洞１７を設け，その空洞１７とパネル１０の一側面１８との間にボルト７４を貫通させる。ボルト７３，７４の両端にはそれぞれナット７５を結合させる。なお，上記の一側面１６，１８は，図１に示した切り欠き１１を長手方向端部においてパネル１０の厚さ方向へ拡張することで形成され，これによって，ナット７５を操作するための空所Ａが形成される。
図６〜図８に示すように，壁−床連結部材７０は，パネル１０の上記一側面１６，１８と，ナット７５との間において，穴７１，７１にそれぞれボルト７３，７４を嵌め込むことによって，ボルト７３，７４を介して壁１０Ｗと床１０Ｆとを連結する。
【００３１】
図８に示すように，壁−床連結部材７０における穴７１，７１間の距離をＬ３，テーパ７２の先端間の距離をＬ５，壁−床連結部材７０で連結される前の状態におけるボルト７３，７４間の距離をＬ４としたとき，Ｌ３＜Ｌ４＜Ｌ５の関係が成り立つように構成されている。したがって，壁−床連結部材７０を，図８（ａ）に矢印Ｙで示すように移動させて，図８（ｂ）に示すように穴７１，７１にそれぞれボルト７３，７４を嵌め込む際，ボルト７３，７４はそれぞれテーパ７２に案内されて，ボルト７３，７４同士の間隔を狭められながら，穴７１，７１に嵌め込まれることとなり，Ｌ４−Ｌ３分が締め代となる。壁−床連結部材７０をボルト７３，７４に装着した後，ナット７５を締め込んでボルト７３，７４からの壁−床連結部材７０の外れを防止する。
【００３２】
なお，図６に示すように，パネル１０同士をボルトナット３０で締結して結合する場合，パネル１０が，複数の木材をボルトナット３０の軸方向へ接着剤で積層し固着した集成材であると，ボルトナット３０を締め込んだ際，空洞１４の角部１４ｃに応力が集中して集成材が接着層で割れてしまうおそれがある。
そこでそのような事態を防止するには，図６に示す座金３２’に示すように，座金３２’をＬ字形に構成してボルトナット３０の軸方向へ伸びる延設部３２ｂを設け，その延設部３２ｂを空洞１４の内側面１４ｓに固着して，角部１４ｃへの応力集中を防止することが望ましい。あるいは，座金３２’’で示すように，座金３２’’をコ字形に構成してボルトナット３０の軸方向へ伸びる延設部３２ｂを一対設け，その一対の延設部３２ｂを空洞１４の内側面１４ｓに固着すれば，角部１４ｃへの応力集中は一層軽減される。延設部３２ｂの内側面１４ｓへの固着手段は適宜の手段を採用でき，接着，ビス止め，ボルト止め等を採用できる。パネル１０を再使用する際，これらの座金３２’，３２’’は必ずしもパネル１０から取り外す必要はないからである。これら座金３２’，３２’’の構成は空洞１４’に対しても適用できる。
また，ボルト７３を７３’で示すようにパネル１０の両側面まで延ばし，ナット７５，７５を締めてパネル１０にボルト７３’の軸方向に作用する圧縮力を付与し，その圧縮力をもって，ボルトナット３０による角部１４ｃからの引き裂き力に対する抵抗力となし，パネル１０の割れ防止を図ることもできる。
【００３３】
図６，図７に示した構造は，壁１０Ｗと２階の床１０Ｆとの連結構造を示しているが，１階の床と壁１０Ｗの連結についても同様な構造を採用することができる。
壁−床連結部材は，床１０Ｆの厚みＴ内において，かつ，壁１０Ｗにおける棒状充填部材２０の受け入れ溝１２の幅１２ｗ内において，壁１０Ｗと床１０Ｆとを連結することができるものであれば任意であり，例えば，図９に示すような平面視コ字型の壁−床連結部材８０（図９（ｃ）参照）を用いることもできる。壁−床連結部材８０の一対のアーム部８２，８２を壁１０Ｗにおける相隣接するパネル１０にボルトナット８３で結合して相隣接するパネル１０同士を連結するとともに，壁−床連結部材８０におけるベース部８１を，羽子板ボルト８４，８４で床１０Ｆにおける相隣接するパネル１０にそれぞれ連結する。なお，２１は際根太である。
【００３４】
壁−床連結部材８０は，壁−床連結部材としてだけでなく，パネル１０同士を連結する連結手段としても用いることができる。その場合，羽子板ボルトのための穴８１ａ（図９（ｃ）参照）は不要である。図示の壁−床連結部材８０を用いた場合，壁１０Ｗと床１０Ｆが連結されるだけでなく，壁−床連結部材８０によって壁１０Ｗをなすパネル１０同士も結合されるから，壁−床連結部材８０以外に別途パネル１０同士を締結する締結手段を設ける必要は必ずしもない。別言すれば，壁−床連結部材８０も請求項１でいう締結手段を構成し得る。また，図６，図７に示した構造においても，壁１０Ｗをなすパネル１０同士は，ボルト７４，壁−床連結部材７０，ボルト７３，およびボルトナット３０を介して結合されるから，これらの結合部材以外に別途壁１０Ｗをなすパネル１０同士を締結する締結手段を設ける必要は必ずしもない。すなわち，これらの連結部材（ボルト７４，壁−床連結部材７０，ボルト７３，およびボルトナット３０）も請求項１でいう締結手段を構成し得る。
【００３５】
図１０は本発明に係る建築構造の一実施の形態における，パネルを連接して構成した壁と，パネルを連接して構成した屋根部材との連結構造を示す部分省略平面図，図１１は図１０におけるＸＩ−ＸＩ断面図，図１２（ａ）は図１１におけるＸＩＩａ−ＸＩＩａ断面図，図１２（ｂ）は図１１におけるＸＩＩｂ−ＸＩＩｂ断面図，図１２（ｃ）は図１１におけるＸＩＩｃ−ＸＩＩｃ断面図，図１３は壁−桁連結部材を示す図で，（ａ）は平面図，（ｂ）は正面図，（ｃ）は側面図である。
図示の連結構造は，パネル１０を連接して構成した壁１０Ｗと，この壁１０Ｗの厚みＴ（図１２）内において，かつ，壁１０Ｗにおける棒状充填部材２０の受け入れ溝１２の幅１２ｗ（図１１）内において，壁１０Ｗとこの壁１０Ｗの上に配置された桁材２２とを連結する，連結解除可能な壁−桁連結部材９０と，桁材２２とこの桁材２２の上に配置された屋根部材１０Ｒとを連結する桁−屋根連結部材１００とを備えている。
【００３６】
このように構成すると，桁−屋根連結部材１００による桁材２２と屋根部材１０Ｒとの連結を解除することなく，壁−桁連結部材９０による壁１０Ｗと桁材２２との連結を解除することができるから，屋根あるいは桁を解体することなく，壁−桁連結部材９０による壁１０Ｗと桁材２２との連結を解除することで，壁１０Ｗを構成するパネル１０を１つ単位で容易に交換することができる。
しかも，壁−桁連結部材９０は，壁１０Ｗの厚みＴ内において，かつ，壁１０Ｗにおける棒状充填部材２０の受け入れ溝１２の幅１２ｗ内において，壁１０Ｗと桁２２とを連結するから，壁−桁連結部材９０が壁１０Ｗから露出して建築物の外観が損なわれるというおそれもない。
【００３７】
図１０に示すように，屋根部材１０Ｒを構成するパネル１０同士は，図１に示した壁１０Ｗを構成するパネル１０同士の結合同様，ボルトナット３０を用いて結合されている。図１０において，１３はボルトナット３０をパネル１０内に配置するためのスリット，１４はナットを操作するための空洞である。壁１０Ｗを構築する場合と同様用，スリット１３および空洞１４は，それぞれの形状に適合した埋木で埋めるのが望ましいが，屋根部材１０Ｒの場合，これらスリット１３，空洞１４はスレート等の屋根材で塞がれるので，必ずしも埋木をする必要はない。屋根部材１０Ｒの上面側の棒状充填部材２０についても同様である。
【００３８】
図１１，図１２に示すように，この実施の形態では，壁１０Ｗの上面に，頭つなぎ２３が設けられる。頭つなぎ２３はパネル１０を連接して壁１０Ｗを構築する過程で，順次，壁−桁連結部材９０およびボルト９３によってパネル１０の上面に固定される。頭つなぎ２３を壁１０Ｗ上に固定するに際し，図示のように，順次込み栓２４によってパネル１０の上面への位置決めを行いながら固定することもできるが，最終的に頭つなぎ２３は，壁−桁連結部材９０およびボルト９３によってパネル１０の上面に固定できればよいから，込み栓２４および込み栓２４を用いた位置決め作業は必ずしも必要ではない。
【００３９】
壁−桁連結部材９０は，図１３に示すように，天板９１と，これから一体に折り曲げられて垂下された側板９２とを有する板金部材である。天板９１には端部が開口した穴９１ｈが設けられている。側板９２にも，端部が開口した穴９２ｈが設けられており，その穴９２ｈの開口下部にはテーパ９２ｔが設けられている。
図１１，図１２に示すように，この実施の形態では，桁材２２および頭つなぎ２３を貫通するボルト９３を設ける。また，壁１０Ｗを構成するパネル１０の上部には，空洞１９を設け，この空洞１９とパネル１０の一側面１９ｓとの間にボルト９４を貫通させる。ボルト９３，９４の両端にはそれぞれナット９５を結合させる。なお，上記の一側面１９ｓは，図１に示した切り欠き１１を上端部においてパネル１０の厚さ方向へ拡張することで形成され，これによって，ナット９５を操作するための空所Ａが形成される。
【００４０】
壁−桁連結部材９０は，ボルト９３および９４のナット９５をそれぞれ緩めておいた状態で，外側（図１２（ａ）において左側）から，天板９１を桁材２２ないし頭つなぎ２３の下面とナット９５との間に挿入するようにして穴９１ｈとボルト９３とを嵌め合わせるとともに，側板９２をパネル１０の上記一側面１９ｓとナット９５との間に挿入するようにして穴９２ｈとボルト９４とを嵌め合わせ，その後，ボルト９３および９４のナット９５をそれぞれ締め込むことによって，ボルト９３，９４を介して壁１０Ｗと桁材２２とを連結する。
【００４１】
屋根部材１０Ｒは，図１１において左方または右方にパネル１０を順次，桁−屋根連結部材１００で桁材２２に結合して連接することで構築される。この際，図示のように，桁材２２とパネル１０との間に設けられる込み栓２５によって桁材２２上に位置決めを行いながら固定してゆくこともできるが，最終的に屋根部材１０Ｒは，桁−屋根連結部材１００によって桁材２２の上面に固定できればよいから，込み栓２５および込み栓２５を用いた位置決め作業は必ずしも必要ではない。
【００４２】
壁−桁連結部材は，壁１０Ｗの厚みＴ内において，かつ，壁１０Ｗにおける棒状充填部材２０の受け入れ溝１２の幅１２ｗ内において，壁１０Ｗと桁材２２とを連結することができるものであれば任意であり，例えば，図９に示したと同様な羽子板ボルトを用いることができる。しかし，図１３に示した壁−桁連結部材９０を用いると，ナット９５を緩めるだけで外側に抜き取ることが可能なので，壁１０Ｗを構成する複数のうちの任意のパネル１０を取り外す際に有利である。この点は，前述した壁−床連結部材７０も同様であり，ナット７５を緩めれば取り外し可能である。
【００４３】
図１４（ａ）〜（ｊ）は受け入れ溝１２および棒状充填部材２０の利用形態の例を示す図である。
（ａ）の例は，基本的な利用形態を示しており，受け入れ溝１２に棒状充填部材２０が装着されている。受け入れ溝１２に対する棒状充填部材２０の固定手段としては，剥離性に優れた公知の接着剤や，剥離性に優れた公知の両面接着テープを用いることができる。このようにすると，パネル１０の再利用性が向上する。
また，固定手段として，棒状充填部材２０をパネル１０よりも乾燥させた状態で，受け入れ溝１２に軽く嵌め込んでおく。このようにすると，その後，棒状充填部材２０がパネル１０および空気からの湿気を吸収して膨張し，受け入れ溝１２内に密に嵌り合う。このようにすれば，パネル１０は接着剤等で汚損されないので，再利用性が一層向上する。
【００４４】
（ｂ）は固定手段として釘またはビス１１０を用いた例である。この例の場合，棒状充填部材２０を外したとき，受け入れ溝１２の底面に釘またはビス１１０の痕が残ることとなる。しかし，その痕は，パネル１０同士を釘やビスで連結する場合に比べれば軽微であるので，パネル１０を再利用する上で大きな障害とはならない。
【００４５】
（ｃ）は受け入れ溝１２の内側面１１ｓに，それぞれ先端にフック１１２を設けた板バネ１１１を固定する一方，棒状充填部材２０の側面にフック１１２と係合する係合溝２０ｂを設け，棒状充填部材２０を受け入れ溝１２へ押し込んでフック１１２と係合溝２０ｂとを係合させるだけで棒状充填部材２０を装着できるようにした例である。
（ｄ）は受け入れ溝１２の底面に，両端にフック１１４を設けた断面Ｕ字形の板バネ１１３を固定する一方，棒状充填部材２０の側面にフック１１２と係合する係合溝２０ｂを設け，棒状充填部材２０を受け入れ溝１２へ押し込んでフック１１４と係合溝２０ｂとを係合させるだけで棒状充填部材２０を装着できるようにした例である。
【００４６】
（ｅ）は棒状充填部材２０の片面にテーパ２０ｔを設けて棒状充填部材２０を装着し易いようにした例である。
（ｆ）は棒状充填部材２０の両面にテーパ２０ｔを設けて棒状充填部材２０をさらに装着し易くした例である。
【００４７】
（ｇ）は受け入れ溝１２の底面にプチルゴム両面防水気密テープ１１５を貼り付けることで，棒状充填部材２０の固定と建築物内外の防水性とを同時に確保するようにした例である。この利用態様は，主として，建築物の外面側に位置する受け入れ溝１２に用いるのに適している。
（ｈ）は棒状充填部材２０で塞がれるパネル１０間の隙間Ｃに公知の熱膨張耐火材１１６を設けた例である。このようにすると，火災が発生したとき，熱膨張耐火材１１６が膨張して断熱層を形成するので，建築物が燃えにくくなる。この利用態様は，主として，建築物の外面側に位置する受け入れ溝１２に用いるのに適している。
【００４８】
（ｉ）は受け入れ溝１２の底面に遮音テープ１１７を貼り付けることで，建築物内外の遮音性を向上させるようにした例である。この利用態様は，主として，建築物の内面側に位置する受け入れ溝１２に用いるのに適している。
（ｊ）は棒状充填部材２０の厚さを小さくして受け入れ溝１２内に配線１１８のためのスペースＳ３を設けた例である。この利用態様は，主として，建築物の内面側に位置する受け入れ溝１２に用いるのに適している。
【００４９】
図１５（ａ）〜（ｅ）は受け入れ溝１２および棒状充填部材２０の利用形態のさらなる例を示す図である。
この例は，図（ａ）に示すように，棒状充填部材２０を木材で構成して，その底面にスリット２０ｓを長手方向全長に亘って設け，図（ｂ）に示すように，スリット２０ｓに楔２６を，スリット２０ｓから抜けない程度に挿入する。その後，図（ｃ）に示すように，楔２６が装着された棒状充填部材２０を受け入れ溝１２内に入れ，楔２６がスリット２０ｓに大きく入り込むように棒状充填部材２０を押し込む。すると，楔２６の作用で棒状充填部材２０の底部２０ｄが広がって受け入れ溝１２の内側面１１ｓに圧接される。これによって，棒状充填部材２０が受け入れ溝１２内に密着状態で装着されるとともに，棒状充填部材２０の受け入れ溝１２からの抜けが防止される。
【００５０】
上記の構成とすれば，図１５（ｄ）（ｅ）に示すように，受け入れ溝１２の内側面１１ｓを末広がりのテーパー状に構成することもできる。このようにすれば，棒状充填部材２０の受け入れ溝１２からの抜けが一層確実に防止される。
【００５１】
図１６（ａ）（ｂ）は受け入れ溝１２および棒状充填部材２０の利用形態のさらなる例を示す図である。
この例は，図（ａ）に示すように，棒状充填部材２０を断面末広がりのコ字形の板金で構成するとともに，受け入れ溝１２の内側面１１ｓを末広がりのテーパー状に構成し，図（ｂ）に示すように，板金製棒状充填部材２０の弾性を利用して，棒状充填部材２０を受け入れ溝１２に装着する。すると，板金製棒状充填部材２０の復元力で棒状充填部材２０の底部２０ｄが広がって受け入れ溝１２の内側面１１ｓに圧接される。これによって，棒状充填部材２０が受け入れ溝１２内に密着状態で装着されるとともに，棒状充填部材２０の受け入れ溝１２からの抜けが防止される。
【００５２】
図１７（ａ）〜（ｄ）はパネル１０の材料別構成例を示す図である。
（ａ）の例は，基本的な例を示しており，パネル１０は集成材で構成される。なお棒状充填部材２０も集成材で構成する。
（ｂ）の例は，パネル１０を合板２０ｐ等で中空に構成する。内部空間Ｓ４には断熱材２７等を充填することができる。
（ｃ）の例は，パネル１０を鋼板２８ｓおよび鉄骨２８ｈで構成する。２８ｃは鋼板２８ｓの中間部を連結する補強材である。内部空間Ｓ４には断熱材２７等を充填することができる。
（ｄ）の例は，パネル１０を鉄筋コンクリートで構成した例である。図において鉄筋は省略してある。
【００５３】
以上，本発明の実施の形態について説明したが，本発明は上記の実施の形態に限定されるものではなく，本発明の要旨の範囲内において適宜変形実施可能である。例えば，図１４〜図１７に示した利用形態は適宜組み合わせて実施できる。
【符号の説明】
【００５４】
１０    パネル
１０Ｗ  壁
１０Ｆ  床
１０Ｒ  屋根
１５    空洞部
２０    棒状充填部材
３０    ボルトナット（締結手段）
５０    基礎
５１    空洞部
７０    壁−床連結部材
９０    壁−桁連結部材
【図１】
2010216111.tif 000003
【図２】
2010216111.tif 000004
【図３】
2010216111.tif 000005
【図４】
2010216111.tif 000006
【図５】
2010216111.tif 000007
【図６】
2010216111.tif 000008
【図７】
2010216111.tif 000009
【図８】
2010216111.tif 000010
【図９】
2010216111.tif 000011
【図１０】
2010216111.tif 000012
【図１１】
2010216111.tif 000013
【図１２】
2010216111.tif 000014
【図１３】
2010216111.tif 000015
【図１４】
2010216111.tif 000016
【図１５】
2010216111.tif 000017
【図１６】
2010216111.tif 000018
【図１７】
2010216111.tif 000019